(57)【要約】  ２個以上のアンテナポートで構成されているアンテナポートセットを１セット以上形成すること、および、アンテナポートセットインデックスに少なくとも部分的に基づいてユーザ機器リファレンスシグナルＵＥ−ＲＳに伝送リソースを割り当てることが含まれていてマルチユーザマルチ入力マルチ出力ＭＵ−ＭＩＭＯシステムで実行される無線通信方法が開示されている。【選択図】図１４
2013509042.tif 000002
【特許請求の範囲】
【請求項１】
２個以上のアンテナポートで構成されているアンテナポートセットを１セット以上形成すること、および
アンテナポートセットインデックスに少なくとも部分的に基づいてユーザ機器リファレンスシグナルＵＥ−ＲＳに伝送リソースを割り当てること
が含まれていてマルチ入力マルチ出力ＭＩＭＯシステムで実行される無線通信方法。
【請求項２】
前記ＵＥ−ＲＳを伝送することがさらに含まれていて、
アンテナポートセット内のアンテナポートからの前記ＵＥ−ＲＳ伝送が周波数領域直交多重化（frequency domain orthogonally multiplexed）される請求項１の方法。
【請求項３】
前記ＵＥ−ＲＳを伝送することがさらに含まれていて、
アンテナポートセット内のアンテナポートからの前記ＵＥ−ＲＳ伝送が符号領域直交多重化（code domain orthogonally multiplexed）される請求項１の方法。
【請求項４】
前記ＭＩＭＯシステムが８個のアンテナポートを有していて、
前記の形成することには、
一対のアンテナポートから成るアンテナポートセットを４セット形成すること、および
４個のアンテナポートから成るアンテナポートセットを２セット形成することのどちらか一方が含まれている請求項１の方法。
【請求項５】
前記アンテナポートインデックスから独立しているＵＥ−ＲＳシーケンスを初期化することがさらに含まれている請求項１の方法。
【請求項６】
前記割り当てることには、前記ＵＥ−ＲＳシーケンスを用いて前記ＵＥ−ＲＳに伝送リソースをマッピングすることが含まれていて、前記マッピングが前記アンテナポートセットインデックスの関数である請求項５の方法。
【請求項７】
前記ＵＥ−ＲＳシーケンスの前記初期化には、サービスを提供していて前記ＵＥ−ＲＳを伝送するセルの識別（identification）を用いて前記ＵＥ−ＲＳシーケンスを初期化することがさらに含まれている請求項５の方法。
【請求項８】
前記ＵＥ−ＲＳシーケンスの前記初期化には、前記ＵＥ−ＲＳを伝送するシンボルのインデックスを用いて前記ＵＥ−ＲＳシーケンスを初期化することがさらに含まれている請求項５の方法。
【請求項９】
前記割り当てられた伝送リソースが異なるシンボルに跨って連続していない請求項８の方法。
【請求項１０】
前記ＵＥ−ＲＳを伝送するスロット数、物理リソースブロックインデックス、前記ＵＥ−ＲＳ伝送を受信するユーザ機器によりサポートされているアンテナポートセットの最大数に前記マッピングがさらに応じている請求項６の方法。
【請求項１１】
前記ＵＥ−ＲＳを伝送する共通データチャネルに割り当てられている帯域幅から前記マッピングが独立している請求項１０の方法。
【請求項１２】
２個の異なる物理リソースブロックインデックスのために少なくとも２種類の異なる物理リソース割り当てを前記マッピングが生成する請求項１０の方法。
【請求項１３】
前記ＵＥ−ＲＳシーケンスが、共通リファレンスシグナル伝送の割り当てに用いられる初期化シーケンスとは異なっている請求項５の方法。
【請求項１４】
【数１】
2013509042.tif 000031
【請求項１５】
【数２】
2013509042.tif 000032
【請求項１６】
前記割り当てることには、前記アンテナポートセットインデックスを用いてＵＥ−ＲＳシーケンスを初期化することが含まれている請求項１の方法。
【請求項１７】
前記割り当てることには、前記ＵＥ−ＲＳシーケンスを用いて前記伝送リソースを前記ＵＥ−ＲＳにマッピングすることが含まれていて、前記マッピングが、前記アンテナポートセットインデックスから独立しているオフセットである請求項１６の方法。
【請求項１８】
前記ＵＥ−ＲＳシーケンスの前記初期化には、サービスを提供していて前記ＵＥ−ＲＳを伝送するセルの識別を用いて前記ＵＥ−ＲＳシーケンスを初期化することが含まれている請求項１６の方法。
【請求項１９】
前記ＵＥ−ＲＳシーケンスの前記初期化には、前記ＵＥ−ＲＳを伝送するシンボルのインデックスを用いて前記ＵＥ−ＲＳシーケンスを初期化することが含まれている請求項１６の方法。
【請求項２０】
前記割り当てられた伝送リソースが異なるシンボルに跨って連続していない請求項１９の方法。
【請求項２１】
前記ＵＥ−ＲＳを伝送するスロット数および物理リソースブロックインデックスに前記マッピングがさらに応じている請求項１７の方法。
【請求項２２】
前記ＵＥ−ＲＳ伝送を受信するユーザ機器によりサポートされているアンテナポートセットの最大数に前記マッピングがさらに応じている請求項１７の方法。
【請求項２３】
前記ＵＥ−ＲＳを伝送する共通データチャネルに割り当てられている帯域幅から前記マッピングが独立している請求項２１の方法。
【請求項２４】
２種類の異なる物理リソースブロックインデックスのために少なくとも２種類の異なる物理リソース割り当てを前記マッピングが生成する請求項２１の方法。
【請求項２５】
前記ＵＥ−ＲＳシーケンスが、共通リファレンスシグナル伝送の割り当てに用いられる初期化シーケンスとは異なっている請求項１６の方法。
【請求項２６】
【数３】
2013509042.tif 000033
【請求項２７】
【数４】
2013509042.tif 000034
【請求項２８】
２個以上のアンテナポートで構成されているアンテナポートセットを１セット以上形成する手段と、
アンテナポートセットインデックスに少なくとも部分的に基づいてユーザ機器リファレンスシグナルＵＥ−ＲＳに伝送リソースを割り当てる手段と
を備えていて、マルチ入力マルチ出力ＭＩＭＯシステムに用いられる無線通信装置。
【請求項２９】
前記ＵＥ−ＲＳを伝送する手段をさらに備えていて、アンテナポートセットのアンテナポートからの前記ＵＥ−ＲＳ伝送が周波数領域直交多重化される請求項２８の装置。
【請求項３０】
前記ＵＥ−ＲＳを伝送する手段をさらに備えていて、アンテナポートセットのアンテナポートからの前記ＵＥ−ＲＳ伝送が符号領域直交多重化される請求項２８の装置。
【請求項３１】
前記アンテナポートインデックスから独立しているＵＥ−ＲＳシーケンスを初期化する手段をさらに備えている請求項２８の装置。
【請求項３２】
前記割り当てる手段が、前記ＵＥ−ＲＳシーケンスを用いて前記ＵＥ−ＲＳに伝送リソースをマッピングする手段を備えていて、前記マッピングが前記アンテナポートセットインデックスの関数である請求項３１の装置。
【請求項３３】
前記アンテナポートセットインデックスを用いてＵＥ−ＲＳシーケンスを初期化する手段をさらに備えている請求項２８の装置。
【請求項３４】
前記割り当てる手段が、前記ＵＥ−ＲＳシーケンスを用いて前記伝送リソースを前記ＵＥ−ＲＳにマッピングする手段をさらに備えていて、前記マッピングが、前記アンテナポートセットインデックスから独立しているオフセットである請求項３３の装置。
【請求項３５】
２個以上のアンテナポートで構成されているアンテナポートセットを１セット以上形成することを少なくとも一台のコンピュータに行わせる命令と、
アンテナポートセットインデックスに少なくとも部分的に基づいてユーザ機器リファレンスシグナルＵＥ−ＲＳに伝送リソースを割り当てることを前記少なくとも一台のコンピュータに行わせる命令と
を有しているコンピュータ可読記憶媒体から成るコンピュータプログラム製品。
【請求項３６】
２個以上のアンテナポートで構成されているアンテナポートセットを１セット以上形成したり、
アンテナポートセットインデックスに少なくとも部分的に基づいてユーザ機器リファレンスシグナルＵＥ−ＲＳに伝送リソースを割り当てたり
するように構成されているプロセッサ
を備えていて、マルチ入力マルチ出力ＭＩＭＯシステムに用いられる無線通信装置。
【請求項３７】
前記割り当てることには、
アンテナポートセットインデックスから独立しているＵＥ−ＲＳシーケンスを初期化すること、および
前記ＵＥ−ＲＳシーケンスを用いて前記ＵＥ−ＲＳに伝送リソースをマッピングすることが含まれていて、
前記マッピングが、前記アンテナポートセットインデックスの関数である請求項３６の装置。
【請求項３８】
前記割り当てることには、
アンテナポートセットインデックスを用いてＵＥ−ＲＳシーケンスを初期化すること、および
前記ＵＥ−ＲＳシーケンスを用いて前記ＵＥ−ＲＳに伝送リソースをマッピングすることが含まれていて、
前記マッピングが、前記アンテナポートセットインデックスから独立しているオフセットである請求項３６の装置。
【請求項３９】
アンテナポートセットが２個以上のアンテナポートで構成されているアンテナポートセットインデックスの割り当ての受信、および
前記アンテナポートセットインデックスに少なくとも部分的に基づいているユーザ機器リファレンスシグナルＵＥ−ＲＳの伝送の受信が含まれていて、
マルチ入力マルチ出力ＭＩＭＯシステムで実行される無線通信方法。
【請求項４０】
前記伝送の受信には、
前記アンテナポートセットインデックスから独立しているシーケンスを初期化すること、および
前記初期化されたシーケンスを用いてＵＥ−ＲＳ伝送リソースをマッピングすること
が含まれていて、前記マッピングが前記アンテナポートセットインデックスの関数である請求項３９の方法。
【請求項４１】
アンテナポートセットのアンテナポートからの前記伝送が周波数領域直交多重化と符号分割直交多重化の一方である請求項３９の方法。
【請求項４２】
前記伝送の受信には、
前記アンテナポートセットインデックスを用いてシーケンスを初期化すること、および
前記初期化されたシーケンスを用いてＵＥ−ＲＳ伝送リソースをマッピングすることが含まれていて、
前記マッピングが、前記アンテナポートセットインデックスから独立しているオフセットである請求項３９の方法。
【請求項４３】
前記シーケンスの前記初期化には、サービスを提供していて前記ＵＥ−ＲＳを伝送するセルの識別を用いて前記シーケンスを初期化することがさらに含まれている請求項４０の方法。
【請求項４４】
前記伝送の受信には、
前記アンテナポートセットインデックスを用いてシーケンスを初期化すること、および
前記初期化されたシーケンスを用いてＵＥ−ＲＳ伝送リソースをマッピングすることが含まれていて、
前記マッピングが、前記アンテナポートセットインデックスから独立しているオフセットである請求項３９の方法。
【請求項４５】
アンテナポートセットが２個以上のアンテナポートで構成されているアンテナポートセットインデックスの割り当てを受信する手段、および
前記アンテナポートセットインデックスに少なくとも部分的に基づいているユーザ機器リファレンスシグナルＵＥ−ＲＳの伝送を受信する手段
を具備していて、マルチ入力マルチ出力ＭＩＭＯシステムに用いられる無線通信装置。
【請求項４６】
前記の伝送を受信する手段が、
前記アンテナポートセットインデックスから独立しているシーケンスを初期化する手段、および
前記初期化されたシーケンスを用いてＵＥ−ＲＳ伝送リソースをマッピングする手段
をさらに具備していて、前記マッピングが前記アンテナポートセットインデックスの関数である請求項４５の装置。
【請求項４７】
前記の伝送を受信する手段が、
前記アンテナポートセットインデックスを用いてシーケンスを初期化する手段、および
前記初期化されたシーケンスを用いてＵＥ−ＲＳ伝送リソースをマッピングする手段
をさらに具備していて、前記マッピングが、前記アンテナポートセットインデックスから独立しているオフセットである請求項４５の装置。
【請求項４８】
アンテナポートセットが２個以上のアンテナポートで構成されているアンテナポートセットインデックスの割り当てを少なくとも一台のコンピュータに受信させる命令、および
前記アンテナポートセットインデックスに少なくとも部分的に基づいているユーザ機器リファレンスシグナルＵＥ−ＲＳの伝送を前記少なくとも一台のコンピュータに受信させる命令
を有しているコンピュータ可読記憶媒体から成るコンピュータプログラム製品。
【請求項４９】
アンテナポートセットが２個以上のアンテナポートで構成されているアンテナポートセットインデックスの割り当てを受信したり、
前記アンテナポートセットインデックスに少なくとも部分的に基づいているユーザ機器リファレンスシグナルＵＥ−ＲＳの伝送を受信したり
するように構成されているプロセッサを備えていて、マルチ入力マルチ出力ＭＩＭＯシステムに用いられる無線通信装置。
【請求項５０】
前記アンテナポートセットインデックスから独立しているシーケンスを初期化したり、
前記初期化されたシーケンスを用いてＵＥ−ＲＳ伝送リソースをマッピングしたり
するように前記プロセッサがさらに構成されていて、前記マッピングが前記アンテナポートセットインデックスの関数である請求項４９の装置。
【請求項５１】
前記アンテナポートセットインデックスを用いてシーケンスを初期化したり、
前記初期化されたシーケンスを用いてＵＥ−ＲＳ伝送リソースをマッピングしたり
するように前記プロセッサがさらに構成されていて、前記マッピングが、前記アンテナポートセットインデックスから独立しているオフセットである請求項４９の装置。
【発明の詳細な説明】
【技術分野】
【０００１】
[関連出願の相互参照]
この出願は、２００９年１０月１５日に出願がなされている「無線通信におけるリファレンスシグナルシーケンスマッピングの方法および装置（METHOD AND APPARATUS FOR REFERENCE SIGNAL SEQUENCE MAPPING IN WIRELESS COMMUNICATION）」と言う名称の米国仮特許出願通し番号６１／２５１，９３９の利益を主張する。この米国仮特許出願は、この言及により全体的にここに明確に含まれる。
【背景技術】
【０００２】
[Ｉ．  技術分野]
以下の記述は、無線通信に概ね関係しているが、リファレンスシグナルをチャネルで伝送するためのリソースエレメントのマッピングに特に関係している。
【０００３】
[ＩＩ．  関連する背景]
無線通信システムは、音声やデータなどのような様々な種類の通信内容を供給するために広く展開されている。無線通信システムは、利用可能なシステムリソース（例えば、帯域幅や伝送電力）の共有により複数のユーザとの通信をサポートすることの可能な多元接続システム（multiple-access systems）であり得る。そのような多元接続システムには、符号分割多元接続（ＣＤＭＡ：code division multiple access）システム、時分割多元接続（ＴＤＭＡ：time division multiple access）システム、周波数分割多元接続（ＦＤＭＡ：frequency division multiple access）システム、３ＧＰＰ長期的高度化（ＬＴＥ：Long Term Evolution）システム、直交周波数分割多元接続（ＯＦＤＭＡ：orthogonal frequency division multiple access）システムが例として含まれる。
【０００４】
一般に、無線多元接続通信システムは複数台の無線端末の通信を同時にサポートすることができる。個々の端末は、順方向や逆方向の両リンクでの伝送により一台以上の基地局と通信をする。順方向リンク（またはダウンリンク）は基地局から端末に向かう通信リンクを言い、逆方向リンク（またはアップリンク）は端末から基地局に向かう通信リンクを言う。この通信リンクは、シングルインシングルアウト（single-in-single-out）、マルチインシグナルアウト（multiple-in-signal-out）、マルチインマルチアウト（ＭＩＭＯ：multiple-in-multiple-out）のいずれかのシステムにより確立することができる。
【０００５】
ＭＩＭＯシステムでは、複数（ＮＴ）本の送信アンテナと複数（ＮＲ）本の受信アンテナとがデータの伝送に用いられている。ＮＴ本の送信アンテナとＮＲ本の受信アンテナとにより形成されるＭＩＭＯチャネルは、空間チャネル（spatial channels）と呼ばれることもあるＮＳ本の独立したチャネルに分解することができる。ここで、ＮＳ＜ｍｉｎ｛ＮＴ，ＮＲ｝である。ＮＳ本の独立したチャネルの各々は次元（dimension）に対応している。ＭＩＭＯシステムでは、送信および受信のそれぞれに用いられる複数本のアンテナによりもたらされる付加的な次元数（additional dimensionalities）を利用すればパフォーマンスを改善することができる（例えば、スループットおよび信頼性の両方または一方を高めることができる）。
【０００６】
無線システムでは、チャネルの特徴付けやパフォーマンスの改善のためにアップリンク（ＵＬ：uplink）やダウンリンク（ＤＬ：downlink）の指示（direction）にリファレンスシグナル（reference signals）が度々用いられる。長期的高度化（ＬＴＥ）仕様書のリリース第８版（Ｒｅｌ−８: Release-8 version）のような従来の無線システムでは、ＵＬやＤＬの指示においてリファレンスシグナルの伝送に用いられる時間または周波数の位置を選択するために幾つかのアルゴリズムが定義されている。しかし、このような従来のアルゴリズムは、ユーザ機器リファレンスシグナル（ＵＥ−ＲＳ：user equipment reference signal）のような特定のリファレンスシグナルの単一レイヤ伝送（single layer transmission）に限定されている。ＬＴＥリリース９（Ｒｅｌ−９：Release 9）ではマルチユーザマルチ入力マルチ出力（ＭＵ−ＭＩＭＯ：multi-user multiple-input, multiple-output）無線システムが導入されているので、リファレンスシグナルフレームワークを拡張してアンテナの本数の増大や伝送の複数の層におけるビームフォーミングをサポートする必要がある。
【発明の概要】
【０００７】
この開示で提供されるシステムや方法は以上に述べた必要性その他を満たしている。概括的な言葉で簡単に言えば、ここに開示されているどの構想もＭＩＭＯシステムにおいてＵＥ−ＲＳに伝送リソースをマッピングするための方法および装置を提供する。
【０００８】
実施態様の基本的な理解が得られるように幾つかの実施態様を以下に簡単に要約する。以下に示す要約は、創案された全実施態様の広範囲に亘るあらましでもなければ、全実施態様の鍵となる重要な諸要素を特定したり任意のまたは全ての実施態様の範囲を描写したりすることを意図したものでもない。要約の唯一の目的は、後に提示される詳細な説明の序文として幾つかの実施態様の着想を簡単な形式で提示することである。
【０００９】
ある態様として、マルチ入力マルチ出力のＭＩＭＯシステムで実施される無線通信方法が開示されている。この方法は、２個以上のアンテナポートで構成されているアンテナポートセットを１セット以上形成することと、アンテナポートセットインデックスに少なくとも部分的に基づいてユーザ機器リファレンスシグナルＵＥ−ＲＳに伝送リソースを割り当てることとで構成されている。
【００１０】
別の態様として、マルチ入力マルチ出力のＭＩＭＯシステムに用いられる無線通信装置が開示されている。この装置は、２個以上のアンテナポートで構成されているアンテナポートセットを１セット以上形成する手段と、アンテナポートセットインデックスに少なくとも部分的に基づいてユーザ機器リファレンスシグナルＵＥ−ＲＳに伝送リソースを割り当てる手段とで構成されている。
【００１１】
別の態様として、コンピュータ可読記憶媒体から成るコンピュータプログラム製品が開示されている。コンピュータ可読記憶媒体は、２個以上のアンテナポートで構成されているアンテナポートセットを１セット以上形成することを少なくとも一台のコンピュータに行わせる命令と、アンテナポートセットインデックスに少なくとも部分的に基づいてユーザ機器リファレンスシグナルＵＥ−ＲＳに伝送リソースを割り当てることを少なくとも一台のコンピュータに行わせる命令とを有している。
【００１２】
別の態様として、プロセッサから成る無線通信装置が開示されている。プロセッサは、２個以上のアンテナポートで構成されているアンテナポートセットを１セット以上形成することや、アンテナポートセットインデックスに少なくとも部分的に基づいてユーザ機器リファレンスシグナルＵＥ−ＲＳに伝送リソースを割り当てることを行うように構成されている。
【００１３】
別の態様として、マルチ入力マルチ出力のＭＩＭＯシステムで実施される無線通信方法が開示されている。この方法は、アンテナポートセットが２個以上のアンテナポートで構成されているアンテナポートセットインデックスの割り当てを受信することと、アンテナポートセットインデックスに少なくとも部分的に基づくユーザ機器リファレンスシグナルＵＥ−ＲＳの伝送を受信することとで構成されている。
【００１４】
別の態様として、マルチ入力マルチ出力のＭＩＭＯシステムに用いられる無線通信装置が開示されている。この装置は、アンテナポートセットが２個以上のアンテナポートで構成されているアンテナポートセットインデックスの割り当てを受信する手段と、アンテナポートセットインデックスに少なくとも部分的に基づくユーザ機器リファレンスシグナルＵＥ−ＲＳの伝送を受信する手段とで構成されている。
【００１５】
別の態様として、コンピュータ可読記憶媒体からなるコンピュータプログラム製品が開示されている。コンピュータ可読記憶媒体は、アンテナポートセットが２個以上のアンテナポートの論理グループで構成されているアンテナポートセットインデックスの割り当ての受信およびアンテナポートセットインデックスに少なくとも部分的に基づくユーザ機器リファレンスシグナルＵＥ−ＲＳの伝送の受信を少なくとも一台のコンピュータに行わせる命令を有している。
【００１６】
別の態様として無線通信装置が開示されている。この通信装置は、アンテナポートセットが２個以上のアンテナポートの論理グループで構成されているアンテナポートセットインデックスの割り当ての受信およびアンテナポートセットインデックスに少なくとも部分的に基づくユーザ機器リファレンスシグナルＵＥ−ＲＳの伝送の受信をするように構成されているプロセッサを具備している。
【００１７】
以下に詳しく説明されていて特許請求の範囲に特に指摘されている諸特徴が上述の目的や関連した目的を達成するためにどの態様にも含まれている。以下の記述や添付図面は、幾つかの例示的な態様を明らかにしているが、それらの態様のそれぞれの原理を適用することのできる様々な方法のごく一部を示しているに過ぎない。他の利点や新規な特徴は、以下に示す発明の詳細な説明を図面と一緒に考慮すれば自ずと明らかになる。以下に開示されている諸態様の詳細な説明は前述のように種々様々に異なる態様の全てやそれらの均等物を含むことを意図してなされている。
【００１８】
本開示の特徴、本質、利点は、類似している参照符号が対応要素を全体に亘って表している図面と一緒に考慮すれば以下に示す発明の詳細な説明から明らかである。
【図面の簡単な説明】
【００１９】
【図１】図１は、一態様による多元接続無線通信システムの図である。
【図２】図２は、無線通信トランシーバ装置のブロック図である。
【図３】図３は、伝送フォーマットを模式的に表した図である。
【図４】図４は、共通リファレンスシグナルに対する伝送リソース割り当ての例を示す図である。
【図５】図５は、共通リファレンスシグナルに対する伝送リソース割り当ての別の例を示す図である。
【図６】図６は、ＵＥ−ＲＳリソースマッピングの例を示す図である。
【図７】図７は、物理ダウンリンク共有制御チャネルに割り当てられるリソースの模式図である。
【図８】図８は、ＵＥ−ＲＳの伝送用リソース割り当てパターンの例を示す図である。
【図９】図９は、ＵＥ−ＲＳの伝送用リソース割り当てパターンの別の例を示す図である。
【図１０】図１０は、リファレンスシグナルの伝送用リソース割り当てパターンの例を示す図である。
【図１１】図１１は、リファレンスシグナルの伝送用リソース割り当てパターンの別の例を示す図である。
【図１２】図１２は、ユーザ機器リファレンスシグナル（ＵＥ−ＲＳ）のリソース割り当てパターンの例を示す図である。
【図１３】図１３は、ユーザ機器リファレンスシグナル（ＵＥ−ＲＳ）のリソース割り当てパターンの別の例を示す図である。
【図１４】図１４は、無線通信のプロセスをフローチャートにして示す図である。
【図１５】図１５は、無線通信装置を図解したブロック図である。
【図１６】図１６は、無線通信のプロセスをフローチャートにして示す図である。
【図１７】図１７は、無線通信装置を図解したブロック図である。
【詳細な説明】
【００２０】
これから図面を参照して様々な態様を説明する。どの態様も完全に理解することができるように多くの具体的な詳細を説明の目的で以下に提示する。しかし、ここに示す具体的な詳細がなくても様々な態様を実施することができることは明らかである。また、種々の態様の記述を容易にするために周知の構造や装置をブロック図の形式で示す場合もある。
【００２１】
ここに記載するどの技術も様々な無線通信ネットワークに用いることができる。ここに記載する技術を用いることのできる無線通信ネットワークには、符号分割多元接続（ＣＤＭＡ：Code Division Multiple Access）ネットワーク、時分割多元接続（ＴＤＭＡ：Time Division Multiple Access）ネットワーク、周波数分割多元接続（ＦＤＭＡ：frequency Division Multiple Access）ネットワーク、直交周波数分割多元接続（ＯＦＤＭＡ：Orthogonal FDMA）ネットワーク、単一搬送波周波数分割多元接続（ＳＣ−ＦＤＭＡ：Single-Carrier FDMA）ネットワーク、その他がある。「ネットワーク」と「システム」と言う用語は往々にして区別なく用いられている。ＣＤＭＡネットワークでは、ユニバーサル地上無線アクセス（ＵＴＲＡ：Universal Terrestrial Radio Access）、ＣＤＭＡ２０００、その他のような無線技術を実施することができる。ＵＴＲＡには、広帯域符号分割多元接続（Ｗ−ＣＤＭＡ：Wideband-CDMA）やローチップレート（ＬＣＲ：Low Chip Rate）が含まれる。ＣＤＭＡ２０００には、ＩＳ−２０００、ＩＳ−９５、ＩＳ−８５６の諸規格が網羅されている。ＴＤＭＡネットワークでは、移動体通信のためのグローバルシステム（ＧＳＭ（登録商標）：Global System for Mobile Communications）のような無線技術を実現することができる。ＯＦＤＭＡネットワークでは、進化したＵＴＲＡ（Ｅ−ＵＴＲＡ：Evolved UTRA）、ＩＥＥＥ８０２．１１、ＩＥＥＥ８０２．１６、ＩＥＥＥ８０２．２０、フラッシュＯＦＤＭ（登録商標）（Flash-OFDM（登録商標））、その他のような無線技術を実現することができる。ＵＴＲＡ、Ｅ−ＵＴＲＡ、ＧＳＭは、ユニバーサルモバイル通信システム（ＵＭＴＳ：Universal Mobile Telecommunication system）の一部である。長期的高度化（ＬＴＥ）は、Ｅ−ＵＴＲＡを用いたＵＭＴＳの来たるべきに公開のものである。ＵＴＲＡ、Ｅ−ＵＴＲＡ、ＧＳＭ、ＵＭＴＳ、ＬＴＥは、「第３世代パートナーシッププロジェクト」（３ＧＰＰ：3rd Generation Partnership Project）と言う名称の組織による文書に記載されている。ＣＤＭＡ２０００は、「第３世代パートナーシッププロジェクト２」（３ＧＰＰ２：3rd Generation Partnership Project 2）と言う名称の組織による文書に記載されている。無線に関するこれらの様々な技術や規格はこの技術分野では公知である。明瞭にするために、以下ではＬＴＥに関する技術的な観点を幾つか述べる。以下の記述にはＬＴＥ関連の用語が多用されている。
【００２２】
単一搬送波周波数分割多元接続（ＳＣ−ＦＤＭＡ）は、単一キャリア変調および周波数領域等化を用いる技術である。ＳＣ−ＦＤＭＡは、ＯＦＤＭＡシステムと性能は類似していて全体的な複雑さは本質的に同じである。ＳＣ−ＦＤＭＡは、本来的に単一キャリアの構造なのでピーク対平均電力比（ＰＡＰＲ：peak-to-average power ratio）が低い。ＳＣ−ＦＤＭＡは、非常に注目されているが、低いＰＡＲＰが送信電力効率の点で移動端末に役立つのでアップリンクの通信では特に注目されている。目下のところ、３ＧＰＰ長期的高度化（ＬＴＥ）である進化したＵＴＲＡにおいて機能するアップリンク多元接続方式（uplink multiple access scheme）として有望視されている。
【００２３】
図１には、一態様に基づく多元接続無線通信システム（multiple access wireless communication system）が例示されている。アクセスポイント１１０（ＡＰ）は複数のアンテナ群を有している。一つの群は１０４と１０６とで構成されていて、別の群は１０８と１００とで構成されている。さらに別の群は１１２と１１４とで構成されている。図１にはアンテナ群毎に二本のアンテナしか示されていないが、個々のアンテナ群にはもっと多くのアンテナを用いても構わないし、もっと少ないアンテナを用いても構わない。アクセス端末１２０（ＡＴ）はアンテナ１１２および１１４と通信をしている。ここでアンテナ１１２および１１４は、順方向リンク１１６によりアクセス端末１２０に情報を送信し、逆方向リンク１１８によりアクセス端末１２０から情報を受信している。アクセス端末１２２はアンテナ１０６および１０８と通信をしている。ここで、アンテナ１０６および１０８は順方向リンク１２６によりアクセス端末１２２に情報を送信し、逆方向リンク１２４によりアクセス端末１２２から情報を受信している。ＦＤＤシステムでは、通信リンク１１８、１１６、１２４、１２６は通信に異なる周波数を用いている可能性がある。例えば順方向リンク１１６は、逆方向リンク１１８で使用している周波数そして異なる周波数を用いている可能性がある。
【００２４】
各群のアンテナが通信するように設計されている領域とアンテナの各群は両方または一方がしばしばアクセスポイントのセクタと呼ばれる。この実施態様では、アクセスポイント１１０がカバーしている領域のある一つのセクタの中のアクセス端末と通信をするようにどのアンテナ群も設計されている。
【００２５】
順方向リンク１１６および１２６による通信でアクセスポイント１１０の送信アンテナはビームフォーミングを利用して異なるアクセス端末１２０および１２２のそれぞれの順方向リンクの信号対雑音比を改善している。また、有効範囲全体に亘って不規則に点在しているアクセス端末に送信する際にビームフォーミングを用いているアクセスポイントは、一本のアンテナで全アクセス端末に送信をしているアクセスポイントに比べて隣接セルのアクセス端末に干渉を引き起こすことは少ない。
【００２６】
アクセスポイント１１０は、端末と通信をするために用いられる固定局で構わないが、アクセスポイント、ノードＢ（ｅＮＢ）、その他の用語で呼ばれることもある。アクセス端末も、アクセス端末、ユーザ機器（ＵＥ：user equipment）、無線通信装置、端末、アクセスターミナル、その他の用語で呼ばれることがある。
【００２７】
図２は、ＭＩＭＯシステム２００における送信機システム２１０（アクセスポイントやｅＮＢとしても知られている）および受信機システム２５０（アクセス端末やＵＥとしても知られている）の実施態様のブロック図である。送信機システム２１０では、データソース２１２から送信（ＴＸ）データプロセッサ２１４に複数本のデータストリームに関するトラフィックデータが供給される。
【００２８】
ある実施態様では、各データストリームがそれぞれの送信アンテナから送信される。ＴＸデータプロセッサ２１４は、データストリームのために選択された特定の符号化方式に基づいてトラフィックデータのフォーマットや符号化やインターリーブをデータストリーム毎に行って符号化されたデータを供給する。
【００２９】
データストリーム毎に符号化された符号化データはＯＦＤＭ技術を用いてパイロットデータで多重化される。一般にパイロットデータは、既知の方法で処理されている既知のデータパターンであり、チャネル応答を推定するために受信機システムで使用される。次に、データストリーム毎に多重化されたパイロットと符号化データとが、当該データストリームのために選択された特定の変調方式（例えば、ＢＰＳＫ、ＱＳＰＫ、Ｍ−ＰＳＫ、Ｍ−ＱＡＭのいずれか）に基づいて変調されて変調シンボルが供給される。プロセッサ２３０が実行する命令によってデータストリーム毎にデータレートや符号化や変調を決めることができる。
【００３０】
次に、全データストリームの変調シンボルがＴＸ  ＭＩＭＯプロセッサ２２０に供給される。このプロセッサは変調シンボルを（例えば、ＯＦＤＭ用に）さらに処理する。ＴＸ  ＭＩＭＯプロセッサ２２０はＮＴ本の変調シンボルストリームをＮＴ台の送信機（ＴＭＴＲ）２２２ａ〜２２２ｔに供給する。幾つかの実施態様ではＴＸ  ＭＩＭＯプロセッサ２２０は、データストリームのシンボルやこのシンボルを送信しているアンテナにビームフォーミングの重みを加えている。
【００３１】
各送信機２２２は、それぞれのシンボルストリームの受信および処理をして一種類以上のアナログ信号を供給し、さらに当該アナログ信号の調整（例えば、増幅やフィルタリングやアップコンバート）をしてＭＩＭＯチャネルによる送信に好適な変調信号を供給する。送信機２２４ａ〜２２２ｔからのＮＴ本の変調シンボルストリームはＮＴ本のアンテナ２２４ａ〜２２４ｔからそれぞれ送信される。
【００３２】
受信機システム２５０では、送信された変調信号がＮＲ本のアンテナ２５２ａ〜２５２ｒで受信され、各アンテナ２５２からの受信信号がそれぞれの受信機（ＲＣＶＲ）２５４ａ〜２５４ｒに供給される。各受信機２５４は、それぞれの受信信号の調整（例えば、フィルタリングや増幅やダウンコンバート）をし、調整した信号をデジタル化してサンプルを供給し、このサンプルをさらに処理して対応する「受信」シンボルストリームを供給する。
【００３３】
ＲＸデータプロセッサ２６０は、ＮＲ台の受信機２５４からＮＲ本の受信シンボルストリームを受信し、特定の受信機処理技術に基づく処理を施してＮＴ本の「検出」シンボルストリームを供給する。次に、ＲＸデータプロセッサ２６０は復調やデインターリーブや復号の処理を個々の検出シンボルストリームに施してデータストリームのトラフィックデータを回復する。ＲＸデータプロセッサ２６０による処理は、送信機システム２１０でＴＸ  ＭＩＭＯプロセッサ２２０やＴＸデータプロセッサ２１４が実行する処理の補完である。
【００３４】
プロセッサ２７０は、どのプリコーディングマトリックス（pre-coding matrix）を使用するのかを周期的に決定する（下に述べる）。プロセッサ２７０は、マトリックスインデックス部（matrix index portion）とランク値部（rank value portion）とから成る逆方向リンクメッセージを形成する。
【００３５】
逆方向リンクメッセージは、通信リンクおよび受信データストリームの両方または一方に関する様々な種類の情報から成っている。逆方向リンクメッセージは、複数本のデータストリームに関するトラフィックデータをデータソース２３６から受信することも行うＴＸデータプロセッサ２３８によって処理され、変調器２８０によって変調され、送信機２５４a〜２５４rによって調整および送信が行われて送信機システム２１０に戻される。
【００３６】
送信機システム２１０では、受信機システム２５０からの変調信号がアンテナ２２４で受信され、受信機２２２で調整され、復調器２４０で復調され、ＲＸデータプロセッサ２４２で処理されて、受信機システム２５０が送信した逆方向リンクメッセージが抽出される。プロセッサ２３０は、ビームフォーミングの重みを決めるのにどのプリコーディングマトリックスを使用するのかを次に決定し、それから抽出メッセージを処理する。
【００３７】
ある態様では論理チャネルが、制御チャネルとトラフィックチャネルとに分類されている。論理制御チャネルは以下で構成されている。システム制御情報を一斉送信するＤＬチャネルである報知制御チャネル（ＢＣＣＨ：Broadcast Control Channel）。ページング情報を転送するＤＬチャネルであるページング制御チャネル（ＰＣＣＨ：Paging Control Channel）。マルチメディアブロードキャストおよびマルチキャストのサービス（ＭＢＭＳ：Multimedia Broadcast and Multicast Service）のスケジューリングや制御情報を一本以上のＭＴＣＨｓに送信するために用いられるポイントツーマルチポイント（Point-to-multipoint）ＤＬチャネルであるマルチキャスト制御チャネル（ＭＣＣＨ：Multicast Control Channel）。一般にこのチャネルは、ＭＢＭＳ（注意：古いＭＣＣＨ＋ＭＳＣＨ）を受信するＵＥｓのみによりＲＲＣ接続の確立後に使用される。個別制御情報を転送するポイントツーポイントの双方向チャネルである個別制御チャネル（ＤＣＣＨ：Dedicated Control Channel）。これは、ＲＲＣ接続をしているＵＥｓに使用される。ある態様では論理トラフィックチャネルは以下で構成されている。ユーザ情報の転送に一台のＵＥだけが使用するポイントツーポイント双方向チャネルである個別トラフィックチャネル（ＤＴＣＨ：Dedicated Traffic Channel）。トラフィックデータを転送するためのポイントツーマルチポイントＤＬチャネルとしてのマルチキャストトラフィックチャネル（ＭＴＣＨ：Multicast Traffic Channel）。
【００３８】
ある態様では、トランスポートチャネルがＤＬおよびＵＬに分類されている。ＤＬトランスポートチャネルは、報知チャネル（ＢＣＨ：Broadcast Channel）、ダウンリンク共有データチャネル（ＤＬ−ＳＤＣＨ：Downlink Shared Data Channel）、ページングチャネル（ＰＣＨ：Paging Channel）で構成されている。ＰＣＨは、ＵＥの節電をサポートするもので（ＤＲＸサイクルがネットワークからＥＵに示される）、全セルによって報知され、制御やトラフィック用の別のチャネルに使用することのできる物理層（ＰＨＹ：physical layer）リソースにマッピングされる。ＵＬトランスポートチャネルは、ランダムアクセスチャネル（ＲＡＣＨ：Random Access Channel）、リクエストチャネル（ＲＥＱＣＨ：Request Channel）、アップリンク共有データチャネル（ＵＬ−ＳＤＣＨ：Uplink Shared Data Channel）、複数本のＰＨＹチャネルで構成されている。どのＰＨＹチャネルも一組のＤＬチャネルとＵＬチャネルとで構成されている。
【００３９】
図３は、幾つかの無線システムのＤＬ伝送フォーマットを示している。この図は、「リソースグリッド（resource grid）」と時々呼ばれるが、伝送リソースを表示している。伝送は、無線フレーム３０２の連続的な伝送として論理的に構成することができる。無線フレーム３０２は、例えば、継続時間が予め決められている。個々の無線フレーム３０２は、複数のサブフレーム３０４としてさらに構成することができる。個々のサブフレーム３０４は、複数個の直交周波数領域多重化（ＯＦＤＭ：orthogonal frequency domain multiplexing）シンボルを送信する複数本のスロット３０５で構成されている（シンボルの送信は水平軸３１０に沿って描かれている）。各ＯＦＤＭシンボルは複数のサブキャリアで構成されている（ことが垂直軸３１２に沿って描かれている）。少なくとも幾つかのサブキャリアを互いに独立している異なるシグナルに割り当てることができる。例えばＬＴＥでは、無線フレーム３０２は１０ｍｓに相当していて、１ｍｓを占めるサブフレーム３０４が１０個で構成されている。個々のサブフレーム３０４は、２個のスロット３０５（偶数番号と奇数番号のスロット）を有している。正規のサイクリックプレフィクス（ＣＰ：cyclic prefix）伝送では７個のＯＦＤＭシンボルがスロット３０５毎に伝送され、拡張ＣＰ伝送（図示していない）では６個のＯＦＤＭシンボルがスロット毎に伝送される。幾つかの構想では、図３にリソースエレメント３０６（ＲＥ）として示されているように、１個のＯＦＤＭシンボルの１個のサブキャリアが伝送リソースの割り当てに関する最小単位を表している。例えばＬＴＥでは１個のＲＥ３０６は、１個のＯＦＤＭシンボルに１５ＫＨｚのサブキャリアを割り当てることに対応している。幾つかの構想では、特定数（例えば、１２個）のサブキャリアを一単位としてサブキャリアが割り当てられて、特定の伝送に割り当てられる一単位の伝送リソースを表す物理的リソースブロック（例えば、１８０ＫＨｚ）を構成している。
【００４０】
図３を参照すれば明らかなように、幾つかの構想では、特定の信号の伝送に割り当てられている伝送リソース（またはＲＥｓ３０６）は、無線フレームインデックスや、無線フレーム３０２内のサブフレームインデックス（例えば、０〜９）や、サブフレーム３０４内のスロットインデックス（例えば、０または１）や、スロット内のＯＦＤＭシンボルインデックスや、ＯＦＤＭシンボル内のサブキャリアインデックスの関数として変化することが分かる。特定の信号の伝送にＲＥｓ３０６を割り当てるためにスケジューラが実際に使用することのできる自由度はこのように非常に高いが予測可能性や繰り返しを幾らか導入することによって信号を伝送する際のＲＥｓ３０６の割り当てが容易になる。例えば、この平易化によりスケジューラから計算の重荷が取り除かれるだけでなく、信号の伝送に必要なＲＥの位置を所期の受信機に知らせるために必須の伝送オーバーヘッドを少なくすることができる。
【００４１】
例えばＬＴＥでは、送信機と受信機の双方に知られている特定の予め決められているパターンを用いて送信機と受信機のそれぞれで伝送に割り当てられているＲＥｓ３０６の位置を算出しているので、リソースエレメントの位置を明示的に知らせる必要もなく特定の伝送（例えば、リファレンスシグナル）のための伝送リソースの割り当てを実行することができる。セル内干渉を減少させるためにリファレンスシグナルは、送信機と受信機の双方が知っている所定の擬似ランダムシーケンスによりスクランブルされることがある。擬似ランダムシーケンスは、送信機と受信機の両者が知っている初期化パラメータや初期化シーケンスにより特定することができる。初期化シーケンスは、例えば、シンボル内の擬似ランダムシーケンスを算出するために各シンボルの開始時に初期化される。ＲＥｓ３０６で用いられる変調シンボル値の擬似ランダム割り当ては異なる伝送間の相互相関や干渉を減少させたり除去したりするのに役立つ。さらに、ＲＥｓ３０６で用いられる変調シンボル値の擬似ランダム割り当てによりチャネル推定性能が改善される。
【数１】
2013509042.tif 000003
【数２】
2013509042.tif 000004
【００４２】
式（３）に示されている初期化では帯域幅は不可知である（bandwidth agnostic）。すなわちＣＲＳの割り当てには、ＲＥのマッピングに用いられるシーケンスジェネレータの初期化に利用することのできる可能な限り最大のＤＬ帯域幅が用いられる。
【数３】
2013509042.tif 000005
【数４】
2013509042.tif 000006
【数５】
2013509042.tif 000007
【数６】
2013509042.tif 000008
【数７】
2013509042.tif 000009
【数８】
2013509042.tif 000010
【数９】
2013509042.tif 000011
【００４３】
帯域幅不可知の特徴は図４と図５とを比べれば明らかである。１５ＲＢｓシステム帯域幅では、中心の６ＲＢｓ（図５のエントリ５０２）は６ＲＢｓシステム帯域幅の場合（図４の第一列のエントリ４０２）と同じ一式のランダムサンプルを有している。
【数１０】
2013509042.tif 000012
【数１１】
2013509042.tif 000013
【数１２】
2013509042.tif 000014
【数１３】
2013509042.tif 000015
【数１４】
2013509042.tif 000016
【数１５】
2013509042.tif 000017
【数１６】
2013509042.tif 000018
【００４４】
式（１０）〜式（１２）により次の事柄から明らかである。個々のサブフレーム内では選択された一式のランダムサンプルがＵＥ−ＲＳを含んでいる全てのシンボルまたはスロットに亘って連続すること。さらに、複数のサブフレームに跨って一式の同じランダムサンプルが異なる初期設定状態で用いられること。さらに、ＰＤＳＣＨの割り当てが連続しているか否かには無関係に個々のＵＥ−ＲＳシンボル内で一組のランダムサンプルが常に連続していること。マッピングに用いられるこれらのシンボルインデックスは実際のシンボルインデックス（３，６，２，５）ではなくてＵＥ−ＲＳシンボル（０，１，２，３）の発生順であること。
【００４５】
図６は、ＮＲＢＰＤＳＣＨ＝３ＲＢｓの場合のマッピングを示す表６００である。行６０８、６１０、６１２はＵＥ−ＲＳ伝送を受信しているＵＥ１２０に割り当てられている３個のＲＢｓであるｎＰＲＢ，１、ｎＰＲＢ，２、ｎＰＲＢ，３、にそれぞれ対応している。３個のＲＢｓは連続していても構わないし連続していなくても構わない。３個のＲＢｓが連続している場合には、ｎＰＲＢ，３＝ｎＰＲＢ，２＋１＝ｎＰＲＢ，１＋２である。これに対して３個のＲＢｓが連続していない場合にはｎＰＲＢ，３＞ｎＰＲＢ，２＞ｎＰＲＢ，１であるが、ｎＰＲＢ，３＝ｎＰＲＢ，２＋１＝ｎＰＲＢ，１＋２は適用できない。行６１４、６１６、６１８、６２０は、シンボルインデックス番号３、６、２、５に関するオフセット値にそれぞれ対応している。この例では、ＰＤＳＣＨに割り当てられている３個のＲＢｓは連続していない。シンボルインデックス３（列６１４）のＵＥ−ＲＳマッピングは０（列６１４の先頭）から８（列６１４の下）まで並んでいる。矢印６０２、６０４、６０６で示したように、リソースマッピングは１つのシンボルの終わりから次のシンボルの初めに連なっている。（例えば、矢印６０２は列６１６の先頭のマッピングインデックス「９」を指しているが、このマッピングインデックス「９」は先行するシンボルインデックス３の最後のインデックス「８」の続きである。）
ｎＰＲＢ，１は０（システムの最初のＰＲＢ）に等しいとは限らないことも注意されたい。割り当てられているＰＤＳＣＨリソースではＵＥ−ＲＳのマッピングが連続していることを示している図６と同じマッピングを３個のＲＢｓが連続しているか否かには拘らず適用することができる。
【００４６】
二重ストリームビームフォーミングをサポートしている構想（例えば、ＬＴＥ  Ｒｅｌ−９）では、与えられたＲＥ内での伝送に２個のＵＥ−ＲＳアンテナポートを利用することができる。幾つかの構想では、２個のアンテナポートが符号分割多重（ＣＤＭ）化される。ＭＵ−ＭＩＭＯ動作では、擬似ランダムシーケンスと割り当てられたＰＤＳＣＨリソースとを用いて二種類のＵＥ−ＲＳアンテナポートからの伝送の直交性をリソースマッピング後にも維持すると有利である。しかし、式（９）から明らかなように、ＵＥに固有のＩＤに応じてシーケンスが初期化されると、対になっているＵＥｓ１２０のために生成されたシーケンスが同じでなくなってしまう可能性がある。その結果、伝送の所望の直交性が維持できなくなってしまう虞がある。おまけに、対になっているＵＥｓ１２０の間でもＵＥ−ＩＤｓは互いに知らないので対の一方のＵＥ１２０が用いた擬似ランダムシーケンスを対の他方のＵＥ１２０が知らない可能性がある。このような非直交性や相手のランダムシーケンスに関する未知の情報はＵＥ−ＲＳに深刻な干渉を引き起こす可能性があるので無線システムの性能が悪化してしまう虞がある。
【数１７】
2013509042.tif 000019
【００４７】
図７には、ＭＵ−ＭＩＭＯシステムにおいて一対のＵＥｓ１２０にＰＤＳＣＨリソースを割り当てる例が示されている。第一のＰＤＳＣＨリソース７０２が第一のＵＥ１２０に割り当てられていて、第二のＰＤＳＣＨ７０４が第一のＵＥ１２０と対になっている第二のＵＥ１２０に割り当てられていることが示されている。第一および第二のそれぞれのＰＤＳＣＨｓ７０２、７０４に関連付けられているＰＤＳＣＨ帯域幅が等しくないことや並んでいないことが明らかである。このような場合には、対になっているＵＥｓ１２０にリソースを割り当てる際に用いた擬似ランダムシーケンスには直交性がないかも知れない。
【数１８】
2013509042.tif 000020
【数１９】
2013509042.tif 000021
【数２０】
2013509042.tif 000022
【００４８】
幾つかの構想では、以下にさらに述べるように、割り当て密度が伝送ランクに依存するようにシーケンスをリソースエレメントにマッピングする技術を提供している。さらに、幾つかの構想では、以下にさらに述べるように、ＵＥ−ＲＳ伝送用のＲＥｓ３０６の割り当て位置がアンテナポートインデックスに依存している技術を提供している。例えば、２個以上のアンテナポートが同じ一組のＲＥｓ３０６を共有することができ、しかもＣＤＭのようにアンテナポートを識別することができる。すなわち、一般に、ＣＤＭ（同じ周波数リソースを占めている場合）とＦＤＭとの混合によりＵＥ−ＲＳアンテナポートを識別することができる。さらに、幾つかの構想では、ＵＥ−ＲＳの割り当てパターンはＣＰの種類（正規であるのか拡張であるのか）やサブフレームの種類、例えば、普通のサブフレーム、ＴＤＤ（Time Division Duplex、時分割複信）（ＤｗＰＴＳ：Downlink Pilot Time Slot）における特別のサブフレーム、リレイングバックホールサブフレーム（relaying backhaul subframes）、その他に依存している。
【数２１】
2013509042.tif 000023
【００４９】
式（１７）に用いられている様々なパラメータを以下に説明する。以下に説明するように上のようなマッピング方程式を使用すると多種多様の異なる態様に便利である。
【００５０】
図８、図９、図１０、図１１には、この開示に記載されている技術にしたがっているＵＥ−ＲＳリソース割り当てパターンの例が示されている。
【００５１】
図８は、正規のＣＰを有しているサブフレームのリソースグリッド８００を示している。水平軸８０２は時間（シンボルインデックス）を表していて、垂直軸は周波数を表している。印「Ｃ」の付いているリソースエレメント（タイル）は共通リファレンスシグナル（ＣＲＳ）のような従来のリファレンスシグナルに割り当てられているリソースを表している。Ｕ１と表示されているリソースエレメントは、２個のアンテナポートから成る第一アンテナポートセットに割り当てられている伝送リソースである。Ｕ２と表示されているリソースエレメントは、２個のアンテナポートから成る第二アンテナポートセットに割り当てられている伝送リソースである。図８に示した例はランク３−４システムに対応していることがある。アンテナポートセットを形成しているアンテナポートは、例えば、０／１や２／３である。アンテナポートセットの各アンテナはＵ１（またはＵ２）と表示されている全てのリソースを占有しているかも知れないが、二種類の伝送は符号分割（ＣＤＭ）では直交している。
【００５２】
図９は、１１−１２シンボルを有しているダウンリンクパイロットタイムスロット（ＤｗＰＴＳ）を備えているサブフレームのためのＵＥ−ＲＳ伝送リソース割り当ての例を示すリソースグリッド９００である。図８のように印「Ｃ」の付いているリソースエレメントはＣＲＳのようなリファレンスシグナルに割り当てられている。最後の３個のシンボル（領域９０２として示されている）はＵＥ−ＲＳには利用することができない。図８の例と同じようにＵＥ−ＲＳは二種類のアンテナポートセット（Ｕ１およびＵ２と表示されている領域）に割り当てられる。アンテナポートセットのアンテナポートは２個の連続するＲＥｓに占有されるかも知れないが符号分割多重伝送により直交性を維持することができる。
【００５３】
図１０は、９−１０シンボルを有しているＤｗＰＴＳを備えているサブフレームのためのＵＥ−ＲＳ伝送リソース割り当ての例を示すリソースグリッド１０００である。既に説明したようにＵ１およびＵ２と表示されているリソースは（所定のアンテナポートセットの）２個のＣＤＭｅｄアンテナポートによりそれぞれが共有されているかも知れない。印１００２の付いている領域はパイロットタイムスロットなのでＵＥ−ＲＳ伝送には利用することができない。
【００５４】
図１１は、ランク５−８のＭＵ−ＭＩＭＯシステム用の正規ＣＰサブフレームのためのＵＥ−ＲＳ伝送リソース割り当ての例を示すリソースグリッド１１００を示している。リソースグリッド１１００は、ＲＥｓ３０６が四種類の異なるリソースＵ５、Ｕ６、Ｕ７、Ｕ８に割り当てられていることを示している。個々のグループは、（例えば、２個のアンテナポートで構成されている）アンテナポートセットに割り当てられているリソースにそれぞれ対応している。リソースＵ５、Ｕ６、Ｕ７、Ｕ８を用いているアンテナポートセット（例えば、領域１１０２）に割り当てられている帯域幅はサブフレーム内の２個のスロットで異なっていることもあれば、４個のアンテナポートで構成されていて互いに直交的に符号分割多重化されているアンテナポートセットにリソースＵ５、Ｕ６が割り当てられていることもある。この技術分野で通常の知識を有する者であれば容易に理解することであるが、一つ一つのアンテナポートセットのアンテナ数やアンテナポートセットそのものに関しては他の様々な組み合わせが可能である。
【００５５】
ある態様では、ＦＤＭの方式であろうとＣＤＭの方式であろうと異なるアンテナポート間の伝送の直交性が以下に示すマッピング技術により達成される。例えば、幾つかの構想では、ＵＥ−ＲＳ  ＲＥｓ３０６の同じ組み（例えば、図８〜図１１に示されているＵ１〜Ｕ８）を共有していて符号分割多重化されている複数個のアンテナポートが一つのアンテナポートセットとして論理的に分類される。幾つかのマッピング技術では、同じアンテナポートセットのアンテナポートはマッピング後にも同じランダムシーケンスが用いられる。幾つかの構想では、異なるアンテナポートセットに跨って異なるランダムシーケンスが用いられる。
【００５６】
さらに、以下に述べるある設計技術では、異なるＰＲＢｓに亘る同じランダムシーケンスの繰り返しを避けることによりピーク対平均電力比（ＰＡＰＲ：Peak-to-Average Power Ratio）の問題を緩和している。
【００５７】
以下に説明する幾つかの設計技術では、ＵＥ−ＲＳマッピングは割り当てられているＰＤＳＣＨのＰＲＢ位置に依存しているが、ＰＲＢインデックスはＣＲＳマッピングの場合と同じように帯域幅不可知であるかも知れない。したがって、ある態様では、一台のＵＥ１２０にサービスを提供している複数のセルのＵＥ−ＲＳ伝送は直交性が維持されるように設計されている。
【００５８】
さらに、受信機側におけるＣＲＳとＵＥ−ＲＳとの間の潜在的な混同を避けるために、ある態様ではＵＥ−ＲＳリソース割り当てに異なるシーケンスが用いられている。
【数２２】
2013509042.tif 000024
【数２３】
2013509042.tif 000025
【数２４】
2013509042.tif 000026
【００５９】
式（３）ではシーリング演算（ceiling operation）も可能である。
【００６０】
図１２は、式（１８）〜式（２２）にしたがって生成されたリソースマッピング１２００の例を示している。リソースマッピング１２００は、シンボル位置ｋ１、ｋ２、ｋ３、ｋ４におけるアンテナポートセット１（表１２２０）およびアンテナポートセット２（表１２２２）への伝送リソースのマッピングを示している。一般性を失うことなく、表１２２０の列１２０８、１２１０、１２１２および表１２２２の列１２１４、１２１６、１２１８にそれぞれ掲載されている３個のＰＲＢｓであるｎＰＲＢ，１、ｎＰＲＢ，２、ｎＰＲＢ，３において受信ＵＥ１２０に帯域幅が割り当てられているものと仮定する。３個のＰＲＢｓが連続していないものとさらに仮定する。３ＲＥｓ毎ＰＢ毎シンボルがＵＥ−ＲＳに割り当てられているものとさらに仮定する。すなわち、割り当てにおける１ＲＢ（または２ＲＢｓ）の分離は、エントリ１２０１により示されているように、１２（または１８）のオフセットを意味している。式（１８）〜式（２２）にしたがって実行されるリソースマッピングの次の側面は明らかであろう。
【００６１】
最初に目に付くことは、リソースマッピング１２００ではｎＰＲＢｓが連続していないことではなかろうか。例えば、円で囲った領域１２０２のエントリはｎＰＲＢ，１（列１２０８）の終わりの「９９」から次のｎＰＲＢ，２（列１２１０）の初めの「１０７」に変わっている。両アンテナポートセットの他のエントリ、例えば、表１２２０におけるアンテナポートセット１の１１１から１２５への変化および表１２２２におけるアンテナポートセット２の１００から１０８への変化や１１２から１０６への変化にも同様の非連続性が認められる。
【００６２】
次に目に付くことは、リソースマッピング１２００ではアンテナポートセット１とアンテナポートセット２のリソース割り当てで「割り込み（interleaves）」が行われていることであろう。例えば、領域１０２４で示されているアンテナポートセット１のエントリ「１２５」および「１２７」はアンテナポートセット２の対応するシンボルおよびｎＰＲＢのエントリ「１２６」により割り込みされている。
【００６３】
さらに目に付くことは、同じアンテナポートセットではサンプルの同一セットが異なるシンボル全体に使用されていることであろう。例えば領域１２０６は、同じオフセット値「１２５」、「１２７」、「１２９」がシンボルｋ３やｋ４に用いられていることを示している。この特徴は、各シンボルｋ１、ｋ２、ｋ３、ｋ４および各ＰＲＢについて全エントリに見られる。
【数２５】
2013509042.tif 000027
【数２６】
2013509042.tif 000028
【数２７】
2013509042.tif 000029
【００６４】
図１３は、式（２４）〜式（２８）にしたがって生成されたリソースマッピング１３００の例を示している。リソースマッピング１３００は、図１２に示したリソースマッピング１２００にある点では類似している。表１３２０はアンテナポートセット１に対応していて、表１３２２はアンテナポートセット２に対応している。リソースマッピング１２００の場合のように、表１３２０の列１３０８、１３１０、１３１２および表１３２２の列１３１４、１３１６、１３１８にそれぞれ載っている３個のＰＲＢｓであるｎＰＲＢ，１、ｎＰＲＢ，２、ｎＰＲＢ，３において受信ＵＥ１２０に帯域幅が割り当てられているものと仮定する。３個のＲＰＢｓが連続していないものとさらに仮定する。３ＲＥｓ毎ＲＢ毎シンボルがＵＥ−ＲＳに割り当てられているものとさらに仮定する。さらに、シンボル位置ｋ１、ｋ２、ｋ３、ｋ４で二種類のアンテナポートセットにリソースが割り当てられているものと仮定する。
【００６５】
リソースマッピング１３００はリソースマッピング１２００とは次のように異なっていることが分かる。帯域幅不可知ＰＲＢインデックスを用いてオフセットを導き出すことができるので（例えば、ｎＰＲＢが帯域幅不可知である式（２８）を参照すること）、ｎＰＲＢｓ相互間の１ＲＢ（または２ＲＢｓ）分の分離は領域１３０１で示すように、例えば、列１３０８および列１３１０の両者間で対応しているそれぞれのエントリでは６（または９）個のＲＢｓのオフセットになる。さらに、各シンボルの開始で異なる初期化が用いられているかも知れないが（例えば、式（２４）参照）、複数個のアンテナポートセットに跨ってどのシンボルにも同じオフセットを同じｎＰＲＢに用いることができる。例えば、エントリ１３０４により示されているように、表１３２０の列１３１２とこれに対応している表１３２２の列１３１８とでは、どちらのアンテナポートセット（表１３２０および１３２０）のどのシンボルｋ１、ｋ２、ｋ３、ｋ４についても同一である。
【００６６】
リソースマッピング１３００は、リソースマッピング１２００にも見られる特定の特性を達成することができる。例えば、リソースマッピング１３００は、（例えば、エントリ１３０２に見られるように）ｎＰＲＢｓに跨って連続していない。さらに、アンテナポートセットインデックスとシンボルの両者に依存している初期化がリソースマッピング１３００に採用されているのでシンボル毎に固定されているオフセットでもリソースマッピング１２００の場合のように伝送リソースを非連続的でランダムにＵＥ−ＲＳに割り当てることができる。
【００６７】
図１４は、無線通信のプロセス１４００を示すフローチャートである。幾つかの構想では、プロセス１４００はｅＮＢ１１０で実行される。ブロック１４０２では、アンテナポートセットが１セット以上形成される。アンテナポートセットは、２個以上のアンテナポートの論理グループでこれを構成することができる。アンテナポートセットのアンテナグループにアンテナポートインデックスを割り当てることができる。幾つかの構想では、アンテナポートインデックスの割り当ての決定はｅＮＢ１１０により実行されてＵＥｓ１２０に伝達される。幾つかの構想では、アンテナポートセット割り当ては予め決められていて（may be decided a priori）ｅＮＢ１１０とＵＥｓ１２０の両者に知られている。ブロック１４０４では、少なくとも部分的にはアンテナポートインデックスに基づいて伝送リソースがＵＥ−ＲＳに割り当てられる。幾つかの構想では、この割り当てはアンテナポートセットインデックスの関数である。伝送リソースの割り当てはここに述べた種々様々な構想を選択的に用いて行われる。例えば、幾つかの構想では、式（１８）〜式（２３）に開示されているマッピングが用いられる。その結果得られるリソースマッピングは、図１２との関連で述べたリソースマッピング１２００に様々な点で類似している。幾つかの構想では、式（２４）〜式（２８）に開示されているマッピングが用いられる。その結果得られるリソースマッピングは図１３との関連で説明したリソースマッピング１３００に様々な点で類似している。
【００６８】
図１５は、無線通信装置１５００のブロック図である。装置１５００は、例えば、ｅＮＢ１１０に実装することができる。装置１５００は、アンテナポートセットを１セット以上形成するモジュール１５０２で構成されている。アンテナポートセットは２個以上のアンテナポートの論理グループで構成されている。アンテナポートセットインデックスはアンテナポートセットのアンテナのグループに割り当てられている。モジュール１５０２は、動作１４０２との関連で論じたようにアンテナポートインデックスに割り当てられている。装置１５００は、アンテナポートセットインデックスに少なくとも部分的に基づいてユーザ機器リファレンスシグナルに伝送リソースを割り当てるモジュール１５０４を備えている。幾つかの構想ではこの割り当ては、アンテナポートセットインデックスの関数である。モジュール１５０４は、ここに述べた様々な動作オプションにしたがって動作１４０４を実行する。
【数２８】
2013509042.tif 000030
【００６９】
図１７は、無線通信のための装置１７００のブロック図である。装置１７００は、例えば、ＵＥ１２０にこれを実装することができる。装置１７００は、アンテナポートインデックスの割り当てを受信するモジュール１７０２を具備している。アンテナポートセットは、２個以上のアンテナポートの論理グループで構成されている。モジュール１７０２は、動作１６０２との関連で述べたようにアンテナポートインデックスの割り当てを受信することができる。装置１７００は、ユーザ機器リファレンスシグナル（ＵＥ−ＲＳ）の伝送を受信するモジュール１７０４をさらに備えていても構わない。この伝送は、アンテナポートセットインデックスに少なくとも一部は基づいている。幾つかの構想では伝送は、アンテナポートセットインデックスの関数である。モジュール１７０４は、ここに述べる様々な構想オプションにしたがって動作１６０４を実行する。
【００７０】
伝送リソースをＵＥ−ＲＳ伝送にマッピングする様々な技術を開示した。以上の開示には、ランダムシーケンスをシンボルの開始で初期化して、ＵＥ−ＲＳ伝送に割り当てる物理リソース（例えば、ＲＥｓ３０６）の固定オフセットを演算する技術が含まれている。また、シンボルの開始で固定シーケンスを初期化して、伝送に割り当てる物理リソースのランダムオフセットを演算する技術も開示に含まれている。ここに開示したマッピングは、アンテナポートセットのアンテナポートから伝送される信号間における周波数および符号の両方または一方の分割直交化を達成する。シーケンスの初期化やマッピングがＵＥｓ１２０で行われるようにした構想もある。ＵＥ−ＲＳ伝送位置を端末で算出する（local calculations of UE-RS transmission locations）と言う目に付くこの機能により明確なＵＥ−ＲＳ位置情報をｅＮＢ１１０から受信する必要がなくなるので、この機能はＵＥ−ＲＳ伝送をＵＥ１２０が受信する際の助けになる。
【００７１】
開示した技術は、ＵＥ−ＲＳを含んでいるスロットの間で変るかも知れないＵＥ−ＲＳマッピング密度にいずれも帰着することがさらに分かる。
【００７２】
開示した技術は、ＵＥ−ＲＳリソースの位置がアンテナポートセットインデックスに依存しているマッピングにいずれも帰着することがさらに理解される。ＵＥ−ＲＳマッピングは、サブフレームのＣＰの種類に依存している場合もあれば、サブフレームの種類（例えば、正規のＣＰ、ＤｗＰＴＳ、リレイングバックホールサブフレーム、その他）に依存している場合もある。
【００７３】
開示したプロセスの諸工程に関する特定の順序や階層は典型的な取り組み方の例に過ぎないことを理解されたい。プロセスの諸工程に関する特定の順序や階層は設計の好みに応じて変えることができるが、それでも本開示の範囲に留まることを理解されたい。添付した方法の請求項には、様々な工程が特定の順で要素として例示されているが、これは飽くまでも例の提示であって例示されている特定の順序や階層に限定する意図などないことを断っておく。
【００７４】
種々様々な異なる技術や手法により情報や信号を表すことができることをこの技術分野で通常の知識を有する者であれば誰でも知っている。例えば、以上の記述全体に亘って参照されている可能性のあるデータ、指令、命令、情報、信号、ビット、シンボル、チップは、電圧、電流、電磁波、磁石の場や粒子、光の場や粒子、またはそれらの組み合わせによって表すことができる。
【００７５】
ここで使用している用語「典型的な（exemplary）」は、実例、事例、例証として役に立つことを意味している。「典型的な」ものとしてここに記載した態様や構想が他の態様や構想よりも好ましいとか優れているとかと解釈する必要はない。
【００７６】
ここに開示されている実施態様との関連で様々に例示した論理的なブロックやモジュールや回路やアルゴリズムの工程は、電子的なハードウェアやコンピュータのソフトウェアあるいは両者の組み合わせとして実現することができることは当業者には明らかである。ハードウェアとソフトウェアの両者に置き換え可能であることを明らかにするためにコンポーネント、ブロック、モジュール、回路、工程の様々な例を一般に機能の観点から説明した。このような機能をハードウェアとソフトウェアのいずれで実現するかはシステム全体に課せられている特定の用途や設計の制約に基づく。ここに記載した機能を当業者であれば特定の用途毎に様々な方法で実現することができるが、そのような機能の実現が本開示の範囲からの離脱であると解釈されてはならない。
【００７７】
ここに開示した実施態様に関連して記載した論理ブロック、モジュール、回路の様々な例は、ここに記載した諸機能を実行するようにいずれも設計されている、汎用プロセッサ、デジタルシグナルプロセッサ（ＤＳＰ：digital signal processor）、特定用途向け集積回路（ＡＳＩＣ：application specific integrated circuit）、書替え可能ゲートアレイ（ＦＰＧＡ：field programmable gate array）または他の書替え可能論理装置、離散的ゲートまたはトランジスタ論理、離散的ハードウェアコンポーネント、または、それらの任意の組み合わせで実現したり実施したりすることができる。汎用プロセッサはマイクロプロセッサで構わないが、その他にも任意の一般的なプロセッサ、コントローラ、マイクロコントローラ、状態装置のいずれでも構わない。プロセッサは、演算装置の組み合わせとして実現することもできる。例えば、ＤＳＰとマイクロプロセッサとの組み合わせ、複数個のマイクロプロセッサ、ＤＳＰコアと組み合わせた１個以上のマイクロプロセッサ、任意の他のそのような構成として実現することができる。
【００７８】
一種類以上の典型的な実施態様では、記載した機能はハードウェア、ソフトウェア、ファームウェア、それらの任意の組み合わせとして実現することができる。ソフトウェアとして実現した場合には、コンピュータ可読媒体上の一種類以上の命令やコードとして諸機能は符号化されたり記憶されたりする。コンピュータ可読媒体にはコンピュータ記憶媒体が含まれている。記憶媒体は、コンピュータがアクセスすることのできる任意の利用可能な媒体で構わない。限定ではなく例として、そのようなコンピュータ可読媒体は、ＲＡＭ、ＲＯＭ、ＥＥＰＲＯＭ、ＣＤ−ＲＯＭやその他の光学ディスク記憶装置、磁気ディスク記憶装置や他の磁気記憶装置、所望のプログラムコードを命令やデータ構造の形式で保持したり格納したりするために用いることができてコンピュータによりアクセスすることのできる任意の他の媒体を含むことがあり得る。ここで使用しているディスクには綴りが「disk」と「disc」の二種類があるが、コンパクトディスク（ＣＤ：compact disc）、レーザディスク（laser disc）、光学ディスク（optical disc）、デジタル多用途ディスク（ＤＶＤ：digital versatile disc）、フロッピー（登録商標）ディスク（floppy（登録商標） disk）、ブルーレイ（登録商標）ディスク（Blu-ray（登録商標） disc）が含まれる。ここで、「disk」と綴られるディスクは通常はデータを磁気的に再生し、「disc」と綴られるディスクは通常はデータをレーザで光学的に再生する。以上に述べたものの組み合わせもコンピュータ可読媒体の範囲に含まれる。
【００７９】
開示した実施態様に関する先の記載はこの技術分野で通常の知識を有する者が本開示を実施したり使用したりすることができるようにするために提示したものである。当業者であればこれらの実施態様に様々な修正を施すことは容易であり、ここに示した一般的な諸原理は開示の神髄や範囲から逸脱することなく別の実施態様に適用することができる。したがって本開示は、ここに示した諸実施態様に限定されることが意図されているのではなくて、ここに開示した諸原理や新規な諸特徴に一致する最も広い範囲に合致することが意図されている。
【００８０】
上に記載した幾つかの典型的なシステムに鑑みて、開示した実体にしたがって実現することのできる方法が幾つかの流れ図を参照して記載されている。説明の簡易化のために一連のブロックとして方法の提示および説明をしたが、ここに図示したり説明したりした順番とは異なる別の順番で実行されたり別のブロックと一緒に実行されたりするブロックもあるので特許を請求している実体がブロックの提示順により制限されることはないことを理解し認識していただきたい。さらに、ここに説明した方法を実現するためには例示したブロックが全て必要な訳ではないことも理解されたい。また、コンピュータへの移送や転送を容易にするために、ここに開示した方法を製品に格納可能であることを認識されたい。ここに使用した用語である製品には、コンピュータが読み取ることのできる装置や搬送波や媒体からアクセスすることのできるコンピュータプログラムが含まれる。
【００８１】
言及によりここに組み込んだ特許や公表やその他の開示内容は、この開示に記載されている現存する定義や記述やその他の開示内容と矛盾しない範囲でのみ全体または一部がここに含まれることを認識されたい。したがって、ここに明確に記載されている開示内容が言及によりここに組み込まれている矛盾した内容に必要な範囲で取って代わる。言及によりここに組み込まれていても、ここに記載されている現存する定義や記述やその他の開示内容と矛盾する内容やそのような内容の一部は組み込まれた内容と現存する開示内容との間に矛盾が生じない範囲でのみ組み込まれるに過ぎない。
【００８２】
以下に示す範囲を権利として請求する。
【図１】
2013509042.tif 000035
【図２】
2013509042.tif 000036
【図３】
2013509042.tif 000037
【図４】
2013509042.tif 000038
【図５】
2013509042.tif 000039
【図６】
2013509042.tif 000040
【図７】
2013509042.tif 000041
【図８】
2013509042.tif 000042
【図９】
2013509042.tif 000043
【図１０】
2013509042.tif 000044
【図１１】
2013509042.tif 000045
【図１２】
2013509042.tif 000046
【図１３】
2013509042.tif 000047
【図１４】
2013509042.tif 000048
【図１５】
2013509042.tif 000049
【図１６】
2013509042.tif 000050
【図１７】
2013509042.tif 000051
【国際調査報告】
2013509042.tif 000052
2013509042.tif 000053
2013509042.tif 000054